【手続補正書】
【提出日】平成17年9月20日(2005.9.20)
【手続補正１】
【補正対象書類名】明細書
【補正対象項目名】発明の名称
【補正方法】変更
【補正の内容】
【発明の名称】データ送信方法及びデータ送信装置
【手続補正２】
【補正対象書類名】明細書
【補正対象項目名】特許請求の範囲
【補正方法】変更
【補正の内容】
【特許請求の範囲】    【請求項１】  データの送信開始時刻と当該データの送信帯域に基づいて、所定のデータ送信帯域の範囲内で前記データの送信を行うデータ送信方法であって、  送信するデータを固定のデータ送信帯域を持つ等時性データと非固定のデータ送信帯域を持つ非等時性データとに分け、  等時性データの再生開始時刻を決定し、  前記等時性データの再生開始時刻に基づいて、非等時性データの各々のデータの送信開始時刻を当該データの再生開始時刻となるように設定し、  前記等時性データの再生開始時刻に基づいて、各時間帯毎の前記非等時性データを送信できる送信可能帯域を算出し、  前記送信完了時刻と前記送信可能帯域とに基づいて、前記非等時性データの送信開始時刻と当該非等時性データの各時間帯毎のデータ送信帯域を決定する、  ことを特徴とするデータ送信方法。    【請求項２】  前記非等時性データを送信できる送信可能帯域を算出するステップは、  等時性データを送信していない時間帯では、送信可能帯域を前記所定のデータ送信帯域とし、等時性データを送信している時間帯では、前記所定のデータ送信帯域から送信している前記等時性データの固定のデータ送信帯域を減算した値を送信可能帯域とするステップである、  ことを特徴とする請求項１記載のデータ送信方法。    【請求項３】  前記非等時性データの各時間帯毎のデータ送信帯域を決定するステップは、  同一の時間帯に複数の非等時性データを送信する場合、前記送信可能帯域を同一の時間帯で送信される前記非等時性データの数で割った値を、当該同一の時間帯での各々の非等時性データのデータ送信帯域とするステップである、  ことを特徴とする請求項１又は２記載のデータ送信方法。    【請求項４】  データの送信開始時刻と当該データの送信帯域に基づいて、所定のデータ送信帯域の範囲内で前記データの送信を行う送信手段を有するデータ送信装置において、 タイトルを構成するデータと該データを再生する時刻を記述したシナリオを蓄積するシナリオ蓄積手段と、 前記シナリオ蓄積手段に蓄積されている前記シナリオを読み出して解釈するシナリオ解釈手段と、 前記シナリオ解釈手段で解釈したシナリオから前記データの送信開始時刻と当該データの送信帯域を算出して、前記データを送信するためのスケジュールを作成するスケジュール算出手段と、 を備えることを特徴とするデータ送信装置。    【請求項５】  前記シナリオ解釈手段は、 送信するデータを固定のデータ送信帯域を持つ等時性データと非固定のデータ送信帯域を持つ非等時性データとに分ける手段と、 等時性データの再生開始時刻を決定する手段と、 前記等時性データの再生開始時刻に基づいて、非等時性データの各々のデータの送信完了時刻を当該データの再生開始時刻となるように設定する手段と、を有し、 前記スケジュール算出手段は、 前記等時性データの再生開始時刻に基づいて、各時間帯毎の前記非等時性データを送信できる送信可能帯域を算出する手段と、 前記送信完了時刻と前記送信可能帯域とに基づいて、前記非等時性データの送信開始時刻と当該非等時性データの各時間帯毎のデータ送信帯域を決定する手段と、を有する、 ことを特徴とする請求項４記載のデータ送信装置。    【請求項６】  前記非等時性��ータを送信できる送信可能帯域を算出する手段は、 等時性データを送信していない時間帯では、送信可能帯域を前記所定のデータ送信帯域とし、等時性データを送信している時間帯では、前記所定のデータ送信帯域から送信している前記等時性データの固定のデータ送信帯域を減算した値を送信可能帯域とする構成の請求項５記載のデータ送信装置。    【請求項７】  前記非等時性データの各時間帯毎のデータ送信帯域を決定する手段は、 同一の時間帯に複数の非等時性データを送信する場合、前記送信可能帯域を同一の時間帯で送信される前記非等時性データの数で割った値を、当該同一の時間帯での各々の非等時性データのデータ送信帯域とする構成の請求項５又は６記載のデータ送信装置。【手続補正３】
【補正対象書類名】明細書
【補正対象項目名】０００１
【補正方法】変更
【補正の内容】
【０００１】    【発明の属する技術分野】  本発明は、画像データや音声データなどのマルチメディアデータを複数のクライアント端末（以下、単に「端末」ともいう）に送信するデータ送信方法及びデータ送信装置に関する。特には、プッシュ型のマルチメディアサーバにおいてデータ送信のスケジュールを最適に行うことができるデータ送信方法及びデータ送信装置に関する。【手続補正４】
【補正対象書類名】明細書
【補正対象項目名】００２９
【補正方法】変更
【補正の内容】
【００２９】  本発明はこのような問題点に鑑みてなされたもので、その目的は、サーバ側で各クライアント端末への送信帯域の割り当てを行うことができ、クライアント端末側ではサーバからのデータ送信を受け、それぞれのデータの受信が終了した時点を表示時刻とすることができるデータ送信方法及びデータ送信装置を提供することである。
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】削除
【補正の内容】
【手続補正１４】
【補正対象書類名】明細書
【補正対象項目名】００４２
【補正方法】削除
【補正の内容】
【手続補正１５】
【補正対象書類名】明細書
【補正対象項目名】００４３
【補正方法】削除
【補正の内容】
【手続補正１６】
【補正対象書類名】明細書
【補正対象項目名】００４４
【補正方法】削除
【補正の内容】
【手続補正１７】
【補正対象書類名】明細書
【補正対象項目名】００４５
【補正方法】削除
【補正の内容】
【手続補正１８】
【補正対象書類名】明細書
【補正対象項目名】００４６
【補正方法】削除
【補正の内容】
【手続補正１９】
【補正対象書類名】明細書
【補正対象項目名】００４７
【補正方法】削除
【補正の内容】
【手続補正２０】
【補正対象書類名】明細書
【補正対象項目名】００４８
【補正方法】削除
【補正の内容】
【手続補正２１】
【補正対象書類名】明細書
【補正対象項目名】００４９
【補正方法】削除
【補正の内容】
【手続補正２２】
【補正対象書類名】明細書
【補正対象項目名】００５０
【補正方法】削除
【補正の内容】
【手続補正２３】
【補正対象書類名】明細書
【補正対象項目名】００５１
【補正方法】削除
【補正の内容】
【手続補正２４】
【補正対象書類名】明細書
【補正対象項目名】００５２
【補正方法】削除
【補正の内容】
【手続補正２５】
【補正対象書類名】明細書
【補正対象項目名】００５３
【補正方法】削除
【補正の内容】
【手続補正２６】
【補正対象書類名】明細書
【補正対象項目名】００５４
【補正方法】削除
【補正の内容】
【手続補正２７】
【補正対象書類名】明細書
【補正対象項目名】００５８
【補正方法】削除
【補正の内容】
【手続補正２８】
【補正対象書類名】明細書
【補正対象項目名】００５９
【補正方法】削除
【補正の内容】
【手続補正２９】
【補正対象書類名】明細書
【補正対象項目名】００６０
【補正方法】削除
【補正の内容】
【手続補正３０】
【補正対象書類名】明細書
【補正対象項目名】００６１
【補正方法】削除
【補正の内容】
【手続補正３１】
【補正対象書類名】明細書
【補正対象項目名】００６２
【補正方法】削除
【補正の内容】
【手続補正３２】
【補正対象書類名】明細書
【補正対象項目名】００６３
【補正方法】削除
【補正の内容】
【手続補正３３】
【補正対象書類名】明細書
【補正対象項目名】００６４
【補正方法】削除
【補正の内容】
【手続補正３４】
【補正対象書類名】明細書
【補正対象項目名】００６５
【補正方法】削除
【補正の内容】
【手続補正３５】
【補正対象書類名】明細書
【補正対象項目名】００６６
【補正方法】削除
【補正の内容】
【手続補正３６】
【補正対象書類名】明細書
【補正対象項目名】００６７
【補正方法】削除
【補正の内容】
【手続補正３７】
【補正対象書類名】明細書
【補正対象項目名】００６８
【補正方法】削除
【補正の内容】
【手続補正３８】
【補正対象書類名】明細書
【補正対象項目名】００６９
【補正方法】削除
【補正の内容】
【手続補正３９】
【補正対象書類名】明細書
【補正対象項目名】００７０
【補正方法】削除
【補正の内容】
【手続補正４０】
【補正対象書類名】明細書
【補正対象項目名】００７１
【補正方法】削除
【補正の内容】
【手続補正４１】
【補正対象書類名】明細書
【補正対象項目名】００７２
【補正方法】削除
【補正の内容】
【手続補正４２】
【補正対象書類名】明細書
【補正対象項目名】００７３
【補正方法】削除
【補正の内容】
【手続補正４３】
【補正対象書類名】明細書
【補正対象項目名】００７４
【補正方法】削除
【補正の内容】
【手続補正４４】
【補正対象書類名】明細書
【補正対象項目名】００７５
【補正方法】削除
【補正の内容】
【手続補正４５】
【補正対象書類名】明細書
【補正対象項目名】００７６
【補正方法】削除
【補正の内容】
【手続補正４６】
【補正対象書類名】明細書
【補正対象項目名】００７７
【補正方法】削除
【補正の内容】
【手続補正４７】
【補正対象書類名】明細書
【補正対象項目名】００７８
【補正方法】削除
【補正の内容】
【手続補正４８】
【補正対象書類名】明細書
【補正対象項目名】００７９
【補正方法】削除
【補正の内容】
【手続補正４９】
【補正対象書類名】明細書
【補正対象項目名】００８０
【補正方法】削除
【補正の内容】
【手続補正５０】
【補正対象書類名】明細書
【補正対象項目名】００８１
【補正方法】削除
【補正の内容】
【手続補正５１】
【補正対象書類名】明細書
【補正対象項目名】００８２
【補正方法】削除
【補正の内容】
【手続補正５２】
【補正対象書類名】明細書
【補正対象項目名】００８３
【補正方法】削除
【補正の内容】
【手続補正５３】
【補正対象書類名】明細書
【補正対象項目名】０２５３
【補正方法】変更
【補正の内容】
【０２５３】    【発明の効果】  以上のように、本発明のデータ送信方法及びデータ送信装置によれば、本発明をプッシュ型サーバに適用することによって、サーバ内でデータ送信のスケジュールを行い、各端末にそのスケジュール通りにデータの送信を行うことができる。そのため、データの送信がサーバ主導型になり、クライアント端末では、タイトルを構成する全てのデータを受け取った時点でそのデータの表示タイミングとすることができる。